(57)【特許請求の範囲】
【請求項１】
貨幣の少なくとも入金処理を行う貨幣処理装置と、
帳票に所定の領収印を押印するための領収印押印装置と、
を備えた貨幣処理システムであって、
前記貨幣処理装置は、帳票に係る支払金額を受け付ける支払金額受付手段と、入金された貨幣の金額を取得する入金金額取得手段と、前記領収印押印装置を管理する管理手段とを有しており、
前記貨幣処理装置は、
前記支払金額受付手段により帳票に係る支払金額を受け付け、
前記貨幣処理装置において貨幣の入金処理が行われたときに入金された貨幣の金額を前記入金金額取得手段により取得し、
前記支払金額受付手段により帳票に係る支払金額が受け付けられた後、前記入金金額取得手段により取得された入金金額が、前記支払金額受付手段により受け付けられた支払金額以上となった場合にのみ、前記領収印押印装置による帳票への所定の領収印の押印を前記管理手段により許可する、貨幣処理システム。
【請求項２】
前記領収印押印装置は、ベース部分と、帳票に押印される所定の領収印を含む本体部分とを有しており、前記本体部分は前記ベース部分に着脱自在に取り付けられるようになっており、
前記管理手段は、前記領収印押印装置による帳票への所定の領収印の押印を許可する際に、前記ベース部分からの前記本体部分の取り外しを可能とする、請求項１記載の貨幣処理システム。
【請求項３】
前記本体部分を前記ベース部分にロックするロック機構が前記ベース部分または前記本体部分に設けられており、
前記管理手段は、前記領収印押印装置による帳票への所定の領収印の押印を許可する際に、前記ロック機構による前記ベース部分への前記本体部分のロックを解除する、請求項２記載の貨幣処理システム。
【請求項４】
前記本体部分を前記ベース部分からの取り外し方向に付勢する付勢手段が前記領収印押印装置に設けられている、請求項３記載の貨幣処理システム。
【請求項５】
前記ロック機構による前記ベース部分への前記本体部分のロックが解除された後、所定時間が経過しても前記ロック機構により前記本体部分が前記ベース部分に再びロックされない場合に報知を行う第１報知部を更に備えた、請求項３または４記載の貨幣処理システム。
【請求項６】
前記ベース部分には、当該ベース部分に前記本体部分が取り付けられているか否かを検知する検知手段が設けられている、請求項２乃至５のいずれか一項に記載の貨幣処理システム。
【請求項７】
前記領収印押印装置は、帳票に押印される所定の領収印を含む本体部分を有しており、前記本体部分には、領収印の押印を規制する規制手段が設けられており、
前記管理手段は、前記領収印押印装置による帳票への所定の領収印の押印を許可する際に、前記規制手段による領収印の押印の規制を解除する、請求項１記載の貨幣処理システム。
【請求項８】
前記領収印押印装置には、帳票への所定の領収印の押印を検知する押印検知部が設けられている、請求項１乃至７のいずれか一項に記載の貨幣処理システム。
【請求項９】
前記領収印押印装置により帳票への所定の領収印の押印を行う操作者の情報を取得する操作者情報取得手段と、
前記操作者情報取得手段により取得された操作者の情報と、前記押印検知部により検知された帳票への所定の領収印の押印回数とを紐付けて管理する押印回数管理手段と、
を更に備えた、請求項８記載の貨幣処理システム。
【請求項１０】
前記押印検知部により検知された１つの帳票への所定の領収印の押印回数が所定の回数に達しない場合に報知を行う第２報知部を更に備えた、請求項８または９記載の貨幣処理システム。
【請求項１１】
前記領収印押印装置により帳票に押印される所定の領収印には日付が含まれるようになっており、
前記貨幣処理装置は、前記領収印押印装置により押印される領収印に含まれる日付を調整する日付調整部を有しており、
前記日付調整部は、所定のタイミングで前記貨幣処理装置に内蔵されるタイマーの日付と同期を行うことによって、前記領収印押印装置により押印される領収印に含まれる日付を自動で変更するようになっている、請求項１乃至１０のいずれか一項に記載の貨幣処理システム。
【請求項１２】
貨幣の少なくとも入金処理を行う貨幣処理装置と、
前記貨幣処理装置とは別に設けられ、当該貨幣処理装置の管理を行う管理装置と、
帳票に所定の領収印を押印するための領収印押印装置と、
を備えた貨幣処理システムであって、
帳票に係る支払金額を受け付ける支払金額受付手段と、
前記貨幣処理装置に入金された貨幣の金額を取得する入金金額取得手段と、
前記領収印押印装置を管理する管理手段と、
を備え、
前記管理手段は、前記支払金額受付手段により帳票に係る支払金額が受け付けられた後、前記貨幣処理装置において貨幣の入金処理が行われたときに、前記入金金額取得手段により取得された前記貨幣処理装置への入金金額が、前記支払金額受付手段により受け付けられた支払金額以上となった場合にのみ、前記領収印押印装置による帳票への所定の領収印の押印を許可するよう当該領収印押印装置を管理する、貨幣処理システム。
【請求項１３】
前記管理手段は前記管理装置に設けられている、請求項１２記載の貨幣処理システム。
【請求項１４】
帳票に係る支払金額を受け付ける支払金額受付手段と、
入金された貨幣の金額を取得する入金金額取得手段と、
帳票に所定の領収印を押印するための領収印押印装置を管理する管理手段と、
を備え、
前記管理手段は、前記支払金額受付手段により帳票に係る支払金額が受け付けられた後、貨幣の入金処理が行われたときに、前記入金金額取得手段により取得された入金金額が、前記支払金額受付手段により受け付けられた支払金額以上となった場合にのみ、前記領収印押印装置による帳票への所定の領収印の押印を許可するよう当該領収印押印装置を管理する、貨幣処理装置。
【請求項１５】
帳票に係る支払金額を支払金額受付手段により受け付ける工程と、
貨幣処理装置に入金された貨幣の金額を入金金額取得手段により取得する工程と、
前記支払金額受付手段により帳票に係る支払金額が受け付けられた後、貨幣の入金処理が行われたときに、前記入金金額取得手段により取得された前記貨幣処理装置への入金金額が、前記支払金額受付手段により受け付けられた支払金額以上となった場合にのみ、領収印押印装置による帳票への所定の領収印の押印を許可するよう当該領収印押印装置を管理する工程と、
を備えた、貨幣処理方法。
【発明の詳細な説明】
【技術分野】
【０００１】
本発明は、貨幣の少なくとも入金処理を行う貨幣処理装置および帳票に所定の領収印を押印するための領収印押印装置を少なくとも備えた貨幣処理システム、このような貨幣処理システムに設けられた貨幣処理装置、ならびに貨幣処理方法に関する。
【背景技術】
【０００２】
コンビニエンスストア等の流通店舗において、近年では店舗内に設置されているＰＯＳ端末を利用して公共料金や税金等の支払いを代行する代行収納サービスが行われている。一般的な代行収納サービスでは、店舗の店員が顧客から公共料金等の支払い代金を受け取った後、公共料金等の請求書の受領印欄に受領印を押印し、請求書の一部を切り離して領収書として顧客に返却するようになっている。また、特許文献１には、ＰＯＳ端末に設けられたバーコードスキャナにより公共料金等の請求書に記載されたバーコードの情報を読み取り、この読み取られた情報に基づいて公共料金等の支払い金額や支払い期限等の情報をＰＯＳ端末により取得するような技術が開示されている。
【先行技術文献】
【特許文献】
【０００３】
【特許文献１】特開平７−２４４６９３号公報
【発明の概要】
【発明が解決しようとする課題】
【０００４】
特許文献１等に開示されるような装置を用いた従来の代行収納サービスでは、店舗の店員が顧客から受け取った公共料金等の支払い代金については何ら管理されておらず、セキュリティに関して問題があった。具体的には、従来の代行収納サービスでは、店舗の店員が顧客から公共料金等の支払い代金を受け取った後、公共料金等の請求書の受領印欄に受領印を押印し、請求書の一部を切り離して領収書として顧客に返却した後にＰＯＳ端末でキャンセル処理を行うことにより、顧客から受け取った公共料金等の支払い代金を店舗の店員が着服する等の不正行為が実行可能となってしまうという問題があった。
【０００５】
本発明は、このような点を考慮してなされたものであり、店舗の店員等の操作者が顧客から受け取った公共料金等の支払い代金を着服する等の不正行為が行われてしまうことを防止することができる貨幣処理システム、貨幣処理装置および貨幣処理方法を提供することを目的とする。
【課題を解決するための手段】
【０００６】
本発明の貨幣処理システムは、貨幣の少なくとも入金処理を行う貨幣処理装置と、帳票に所定の領収印を押印するための領収印押印装置と、を備えた貨幣処理システムであって、前記貨幣処理装置は、帳票に係る支払金額を受け付ける支払金額受付手段と、入金された貨幣の金額を取得する入金金額取得手段と、前記領収印押印装置を管理する管理手段とを有しており、前記貨幣処理装置は、前記支払金額受付手段により帳票に係る支払金額を受け付け、前記貨幣処理装置において貨幣の入金処理が行われたときに入金された貨幣の金額を前記入金金額取得手段により取得し、前記支払金額受付手段により帳票に係る支払金額が受け付けられた後、前記入金金額取得手段により取得された入金金額が、前記支払金額受付手段により受け付けられた支払金額以上となった場合にのみ、前記領収印押印装置による帳票への所定の領収印の押印を前記管理手段により許可することを特徴とする。
【０００７】
このような貨幣処理システムによれば、入金金額取得手段により取得された貨幣処理装置への入金金額が、支払金額受付手段により受け付けられた支払金額以上となった場合に、領収印押印装置による帳票への所定の領収印の押印を許可するよう当該領収印押印装置を管理することによって、店舗の店員等の操作者が顧客から受け取った公共料金等の支払い代金を着服する等の不正行為が行われてしまうことを防止することができる。
【０００８】
上記の貨幣処理システムにおいては、前記領収印押印装置は、ベース部分と、帳票に押印される所定の領収印を含む本体部分とを有しており、前記本体部分は前記ベース部分に着脱自在に取り付けられるようになっており、前記管理手段は、前記領収印押印装置による帳票への所定の領収印の押印を許可する際に、前記ベース部分からの前記本体部分の取り外しを可能とするようになっていてもよい。
【０００９】
この場合、前記本体部分を前記ベース部分にロックするロック機構が前記ベース部分または前記本体部分に設けられており、前記管理手段は、前記領収印押印装置による帳票への所定の領収印の押印を許可する際に、前記ロック機構による前記ベース部分への前記本体部分のロックを解除するようになっていてもよい。
【００１０】
また、前記本体部分を前記ベース部分からの取り外し方向に付勢する付勢手段が前記領収印押印装置に設けられていてもよい。
【００１１】
また、本発明の貨幣処理システムは、前記ロック機構による前記ベース部分への前記本体部分のロックが解除された後、所定時間が経過しても前記ロック機構により前記本体部分が前記ベース部分に再びロックされない場合に報知を行う第１報知部を更に備えていてもよい。
【００１２】
また、前記ベース部分には、当該ベース部分に前記本体部分が取り付けられているか否かを検知する検知手段が設けられていてもよい。
【００１３】
上記の貨幣処理システムにおいては、前記領収印押印装置は、帳票に押印される所定の領収印を含む本体部分を有しており、前記本体部分には、領収印の押印を規制する規制手段が設けられており、前記管理手段は、前記領収印押印装置による帳票への所定の領収印の押印を許可する際に、前記規制手段による領収印の押印の規制を解除するようになっていてもよい。
【００１４】
上記の貨幣処理システムにおいては、前記領収印押印装置には、帳票への所定の領収印の押印を検知する押印検知部が設けられていてもよい。
【００１５】
この場合、本発明の貨幣処理システムは、前記領収印押印装置により帳票への所定の領収印の押印を行う操作者の情報を取得する操作者情報取得手段と、前記操作者情報取得手段により取得された操作者の情報と、前記押印検知部により検知された帳票への所定の領収印の押印回数とを紐付けて管理する押印回数管理手段と、を更に備えていてもよい。
【００１６】
また、本発明の貨幣処理システムは、前記押印検知部により検知された１つの帳票への所定の領収印の押印回数が所定の回数に達しない場合に報知を行う第２報知部を更に備えていてもよい。
【００１７】
上記の貨幣処理システムにおいては、前記領収印押印装置により帳票に押印される所定の領収印には日付が含まれるようになっており、前記貨幣処理装置は、前記領収印押印装置により押印される領収印に含まれる日付を調整する日付調整部を有しており、前記日付調整部は、所定のタイミングで前記貨幣処理装置に内蔵されるタイマーの日付と同期を行うことによって、前記領収印押印装置により押印される領収印に含まれる日付を自動で変更するようになっていてもよい。
【００１８】
本発明の貨幣処理システムは、貨幣の少なくとも入金処理を行う貨幣処理装置と、前記貨幣処理装置とは別に設けられ、当該貨幣処理装置の管理を行う管理装置と、帳票に所定の領収印を押印するための領収印押印装置と、を備えた貨幣処理システムであって、帳票に係る支払金額を受け付ける支払金額受付手段と、前記貨幣処理装置に入金された貨幣の金額を取得する入金金額取得手段と、前記領収印押印装置を管理する管理手段と、を備え、前記管理手段は、前記支払金額受付手段により帳票に係る支払金額が受け付けられた後、前記貨幣処理装置において貨幣の入金処理が行われたときに、前記入金金額取得手段により取得された前記貨幣処理装置への入金金額が、前記支払金額受付手段により受け付けられた支払金額以上となった場合にのみ、前記領収印押印装置による帳票への所定の領収印の押印を許可するよう当該領収印押印装置を管理することを特徴とする。
【００１９】
このような貨幣処理システムによれば、入金金額取得手段により取得された貨幣処理装置への入金金額が、支払金額受付手段により受け付けられた支払金額以上となった場合に、領収印押印装置による帳票への所定の領収印の押印を許可するよう当該領収印押印装置を管理することによって、店舗の店員等の操作者が顧客から受け取った公共料金等の支払い代金を着服する等の不正行為が行われてしまうことを防止することができる。
【００２０】
上記の貨幣処理システムにおいては、前記管理手段は前記管理装置に設けられていてもよい。
【００２１】
本発明の貨幣処理装置は、帳票に係る支払金額を受け付ける支払金額受付手段と、入金された貨幣の金額を取得する入金金額取得手段と、帳票に所定の領収印を押印するための領収印押印装置を管理する管理手段と、を備え、前記管理手段は、前記支払金額受付手段により帳票に係る支払金額が受け付けられた後、貨幣の入金処理が行われたときに、前記入金金額取得手段により取得された入金金額が、前記支払金額受付手段により受け付けられた支払金額以上となった場合にのみ、前記領収印押印装置による帳票への所定の領収印の押印を許可するよう当該領収印押印装置を管理することを特徴とする。
【００２２】
このような貨幣処理装置によれば、入金金額取得手段により取得された貨幣処理装置への入金金額が、支払金額受付手段により受け付けられた支払金額以上となった場合に、領収印押印装置による帳票への所定の領収印の押印を許可するよう当該領収印押印装置を管理することによって、店舗の店員等の操作者が顧客から受け取った公共料金等の支払い代金を着服する等の不正行為が行われてしまうことを防止することができる。
【００２３】
本発明の貨幣処理方法は、帳票に係る支払金額を支払金額受付手段により受け付ける工程と、貨幣処理装置に入金された貨幣の金額を入金金額取得手段により取得する工程と、前記支払金額受付手段により帳票に係る支払金額が受け付けられた後、貨幣の入金処理が行われたときに、前記入金金額取得手段により取得された前記貨幣処理装置への入金金額が、前記支払金額受付手段により受け付けられた支払金額以上となった場合にのみ、領収印押印装置による帳票への所定の領収印の押印を許可するよう当該領収印押印装置を管理する工程と、を備えたことを特徴とする。
【００２４】
このような貨幣処理方法によれば、入金金額取得手段により取得された貨幣処理装置への入金金額が、支払金額受付手段により受け付けられた支払金額以上となった場合に、領収印押印装置による帳票への所定の領収印の押印を許可するよう当該領収印押印装置を管理することによって、店舗の店員等の操作者が顧客から受け取った公共料金等の支払い代金を着服する等の不正行為が行われてしまうことを防止することができる。
【発明の効果】
【００２５】
本発明の貨幣処理システム、貨幣処理装置および貨幣処理方法によれば、店舗の店員等の操作者が顧客から受け取った公共料金等の支払い代金を着服する等の不正行為が行われてしまうことを防止することができる。
【図面の簡単な説明】
【００２６】
【図１】本発明の実施の形態によるレジユニット（貨幣処理システム）が設置された店舗の構成の概略を示す概略構成図である。
【図２】図１に示す店舗のフロント領域の精算所に設置されたレジユニットにおける貨幣釣銭機（貨幣処理装置）、ＰＯＳレジスタ（管理装置）および領収印押印装置の構成を示す斜視図である。
【図３】図２に示すレジユニットの構成の概略を示す概略構成図である。
【図４】図２に示すレジユニットにおける領収印押印装置を側方から見たときの構成を示す構成図である。
【図５】図２に示すレジユニットの制御系の構成を示す機能ブロック図である。
【図６】図２に示すレジユニットを用いて代行収納サービスを行う際の動作を示すフローチャートである。
【発明を実施するための形態】
【００２７】
以下、図面を参照して本発明の実施の形態について説明する。図１乃至図６は、本実施の形態によるレジユニット（貨幣処理システム）およびこのようなレジユニットに設けられた貨幣釣銭機（貨幣処理装置）を示す図である。このうち、図１は、本実施の形態によるレジユニット（貨幣処理システム）が設置された店舗の構成の概略を示す概略構成図であり、図２は、図１に示す店舗のフロント領域の精算所に設置されたレジユニットにおける貨幣釣銭機（貨幣処理装置）、ＰＯＳレジスタ（管理装置）および領収印押印装置の構成を示す斜視図であり、図３は、図３は、図２に示すレジユニットの構成の概略を示す概略構成図である。また、図４は、図２に示すレジユニットにおける領収印押印装置を側方から見たときの構成を示す構成図である。また、図５は、図２に示すレジユニットの制御系の構成を示す機能ブロック図であり、図６は、図２に示すレジユニットを用いて代行収納サービスを行う際の動作を示すフローチャートである。
【００２８】
図１に示すように、コンビニエンスストア等の店舗１０において、顧客が立ち入ることができるフロント領域１２には様々な商品が陳列された商品棚１４が設置されているとともに、このフロント領域１２の精算所１６にはレジユニット１８が設置されている。後述するように、レジユニット１８は、硬貨釣銭機１００、紙幣釣銭機２００、ＰＯＳレジスタ３００および領収印押印装置４００等から構成されている（図２等参照）。顧客がこのような精算所１６で精算処理を行う際に、店員は、顧客から受け取った商品の代金としての貨幣をレジユニット１８の硬貨釣銭機１００や紙幣釣銭機２００に入金したり、釣銭としての貨幣を硬貨釣銭機１００や紙幣釣銭機２００から出金して顧客に返却したりするようになっている。また、このような店舗１０における顧客の立ち入りが禁止されたバックヤード領域２０には、硬貨釣銭機１００や紙幣釣銭機２００から回収された売上金としての貨幣が入金される売上入金機２２が設置されている。売上入金機２２に入金された売上金としての貨幣は、警送会社の収集担当者により回収されて当該警送会社の管理センターに運搬されるようになっている。
【００２９】
また、図２等に示すように、ＰＯＳレジスタ３００には、帳票（具体的には、公共料金等の請求書）に記載されたバーコードの情報を読み取るバーコードスキャナ３５０が設けられている。そして、本実施の形態では、フロント領域１２の精算所１６に設置されるレジユニット１８において、公共料金や税金等の支払いを代行する代行収納サービスを行うことができるようになっている。より詳細には、レジユニット１８において代行収納サービスを行うにあたり、ＰＯＳレジスタ３００に設けられたバーコードスキャナ３５０により公共料金等の請求書に記載されたバーコードの情報を読み取ることによって、この読み取られた情報に基づいて公共料金等の支払い金額や支払い期限等の情報がＰＯＳレジスタ３００において取得される。そして、店舗１０の店員が顧客から公共料金等の支払い代金を受け取った後、領収印押印装置４００を用いて公共料金等の請求書の受領印欄に受領印を押印し、請求書の一部を切り離して領収書として顧客に返却する。このような代行収納サービスの詳細については後述する。なお、ＰＯＳレジスタ３００に設けられたバーコードスキャナ３５０は、公共料金等の請求書に記載されたバーコード以外にも、商品棚１４に陳列される商品に付されたバーコードの読み取りも行うことができるようになっている。
【００３０】
フロント領域１２の精算所１６に設置されたレジユニット１８の構成の詳細について図２乃至図５を用いて説明する。なお、前述したように、図２は、レジユニット１８における硬貨釣銭機１００、紙幣釣銭機２００、ＰＯＳレジスタ３００および領収印押印装置４００の構成を示す斜視図であり、図３は、図２に示すレジユニット１８の内部構成の概略を示す概略構成図であり、図４は、図２に示すレジユニット１８における領収印押印装置４００を側方から見たときの構成を示す構成図である。また、図５は、図２に示すレジユニット１８の制御系の構成を示す機能ブロック図である。
【００３１】
図２等に示すように、レジユニット１８は、硬貨釣銭機１００と、紙幣釣銭機２００と、ＰＯＳレジスタ３００と、領収印押印装置４００とを備えており、硬貨釣銭機１００および紙幣釣銭機２００は、それぞれ硬貨や紙幣の入出金処理を行うようになっている。また、図２に示すように、硬貨釣銭機１００および紙幣釣銭機２００は左右方向に並べて配置される。そして、ＰＯＳレジスタ３００は、硬貨釣銭機１００および紙幣釣銭機２００の上方に配置される。以下、硬貨釣銭機１００および紙幣釣銭機２００をまとめて貨幣釣銭機ともいう。なお、本実施の形態では、硬貨釣銭機１００および紙幣釣銭機２００を組み合わせた貨幣釣銭機により、本発明に係る貨幣処理装置が構成されている。また、硬貨釣銭機１００、紙幣釣銭機２００、ＰＯＳレジスタ３００および領収印押印装置４００を組み合わせたレジユニット１８により、本発明に係る貨幣処理システムが構成されている。また、このような貨幣処理システムでは、ＰＯＳレジスタ３００は、貨幣釣銭機（具体的には、硬貨釣銭機１００および紙幣釣銭機２００）の管理を行う管理装置として機能するようになる。
【００３２】
また、図３に示すように、ＰＯＳレジスタ３００は店舗サーバ５００に通信可能に接続されている。そして、ＰＯＳレジスタ３００から店舗サーバ５００に売上金情報等が送信されるようになっている。また、各種設定情報が、店舗サーバ５００からＰＯＳレジスタ３００（複数台でも可）に配信されるようになっている。
【００３３】
図３および図５に示すように、硬貨釣銭機１００は、上位制御部１２０および硬貨釣銭機制御部１３０を有しており、これらの上位制御部１２０および硬貨釣銭機制御部１３０は互いに接続されている。また、紙幣釣銭機２００は、紙幣釣銭機制御部２３０を有しており、この紙幣釣銭機制御部２３０は硬貨釣銭機１００の上位制御部１２０に通信可能に接続されている。また、ＰＯＳレジスタ３００もＰＯＳ制御部３３０を有しており、硬貨釣銭機１００の上位制御部１２０はＰＯＳレジスタ３００のＰＯＳ制御部３３０に通信可能に接続されている。また、図２、図３および図５に示すように、領収印押印装置４００はＬＡＮ４４０を介して硬貨釣銭機１００の上位制御部１２０に通信可能に接続されている。
【００３４】
以下、硬貨釣銭機１００、紙幣釣銭機２００、ＰＯＳレジスタ３００および領収印押印装置４００の各々の構成について図２乃至図４を用いて詳述する。
【００３５】
まず、硬貨釣銭機１００の構成について具体的に説明する。図２および図３に示すように、硬貨釣銭機１００は、前部上面にタッチパネル等の操作表示部１１２が設けられた筐体１１０を備えている。筐体１１０の前部には硬貨受入部１１４および硬貨払出部１１６がそれぞれ設けられている。
【００３６】
硬貨受入部１１４は、投入された硬貨を検知すると駆動され、受け入れた硬貨を１層１列状態で１枚ずつ機体内に取り込むようになっている。図３に示すように、この硬貨受入部１１４には、当該硬貨受入部１１４により機体内に取り込まれた硬貨を搬送する入金搬送部１０３が接続されている。
【００３７】
図３に示すように、入金搬送部１０３の途中箇所には、硬貨の金種、真偽、正損、新旧、搬送状態等の識別を行う硬貨識別部１０１と、分岐部１０４とがそれぞれ設けられている。分岐部１０４は、硬貨識別部１０１による硬貨の識別結果に基づいて、リジェクト硬貨等の、硬貨払出部１１６から払い出されるべき硬貨を入金搬送部１０３から出金搬送部１０８に分岐させるようになっている。
【００３８】
一方、正常硬貨等の機体内に収納されるべき硬貨は入金搬送部１０３により各硬貨収納部１０６へ搬送されるようになっている。各硬貨収納部１０６は硬貨を金種別に収納するようになっている。具体的には、例えば入金搬送部１０３の上流側から高額順に硬貨が収納される。
【００３９】
出金搬送部１０８は、各硬貨収納部１０６から繰り出された硬貨を硬貨払出部１１６へ搬送するようになっている。また、出金搬送部１０８は、分岐部１０４により入金搬送部１０３から分岐させられたリジェクト硬貨等も硬貨払出部１１６へ搬送するようになっている。
【００４０】
次に、紙幣釣銭機２００の構成について具体的に説明する。図２および図３に示すように、紙幣釣銭機２００は、筐体２１０と、この筐体２１０内の略中央部に設けられた環状の周回搬送部２０３ａとを備えている。また、紙幣受入部２１４、３つの紙幣収納部２０６、紙幣払出部２１６、出金リジェクト部２０４および紙幣回収カセット２０７が、周回搬送部２０３ａを外側から取り囲むように配置されている。
【００４１】
また、紙幣釣銭機２００の筐体２１０の内部には、紙幣受入部２１４、各紙幣収納部２０６、紙幣払出部２１６、出金リジェクト部２０４および紙幣回収カセット２０７の各々と、周回搬送部２０３ａとの間をそれぞれ接続する複数の接続搬送部２０３ｂが形成されている。また、周回搬送部２０３ａには紙幣識別部２０１が設けられており、この紙幣識別部２０１は、当該紙幣識別部２０１を通過する紙幣の金種、真偽、正損、新旧、搬送状態等の識別を行うようになっている。
【００４２】
また、周回搬送部２０３ａと各接続搬送部２０３ｂとの間で紙幣の搬送経路を切り換える経路切換部（図示せず）が、周回搬送部２０３ａに沿って配置されている。
【００４３】
図２および図３に示すように、筐体２１０の前面には、紙幣受入部２１４の紙幣受入口２１４ａと、紙幣払出部２１６の紙幣取出口２１６ａとがそれぞれ設けられている。また、紙幣回収カセット２０７は筐体２１０に対して着脱可能に設置されている。
【００４４】
紙幣受入部２１４は、投入された紙幣を検知すると駆動され、紙幣受入口２１４ａに挿入された入金紙幣を一括で取り込んで、周回搬送部２０３ａ側へ１枚ずつ繰り出すようになっている。各紙幣収納部２０６は、紙幣識別部２０１の識別結果に基づいて紙幣を金種別に収納する。紙幣払出部２１６は、各紙幣収納部２０６から周回搬送部２０３ａに繰り出された紙幣を紙幣取出口２１６ａより筐体２１０の外部へ放出するようになっている。
【００４５】
出金リジェクト部２０４は、紙幣の出金処理が行われる際に紙幣収納部２０６から繰り出された紙幣のうち、斜行等の搬送異常により紙幣識別部２０１で正常に識別することができない紙幣を出金リジェクト紙幣として収納する。また、紙幣受入部２１４から機体内に取り込まれた紙幣のうち、汚損等により紙幣識別部２０１で正常に識別することができない紙幣は入金リジェクト紙幣として紙幣払出部２１６に返却されるようになっている。
【００４６】
紙幣回収カセット２０７は筐体２１０の前面から引き出すことにより当該筐体２１０の外部に取り出すことができるようになっている。
【００４７】
次に、ＰＯＳレジスタ３００の構成について具体的に説明する。ＰＯＳレジスタ３００は、商品の購入情報を登録するとともに、硬貨釣銭機１００や紙幣釣銭機２００に対して硬貨や紙幣の入出金処理を行わせるようになっている。
【００４８】
ＰＯＳレジスタ３００のＰＯＳ制御部３３０は、図３に示すように、硬貨釣銭機１００の上位制御部１２０に通信可能に接続されているとともに、店舗サーバ５００にも通信可能に接続されている。そして、このＰＯＳ制御部３３０は、硬貨釣銭機１００の上位制御部１２０を介して当該硬貨釣銭機１００の硬貨釣銭機制御部１３０や紙幣釣銭機２００の紙幣釣銭機制御部２３０に指令を送ることにより硬貨釣銭機１００や紙幣釣銭機２００に対して硬貨や紙幣の入出金処理を行わせるようになっている。また、ＰＯＳ制御部３３０は、硬貨釣銭機１００の硬貨釣銭機制御部１３０や紙幣釣銭機２００の紙幣釣銭機制御部２３０から、上位制御部１２０を介して、硬貨釣銭機１００や紙幣釣銭機２００における硬貨や紙幣の処理状況に係る情報を受け取るようになっている。
【００４９】
操作部３０４は、店員が操作することができるようになっており、ＰＯＳ制御部３３０に対して様々な指令を与えることができるようになっている。また、表示部３０２は、硬貨釣銭機１００や紙幣釣銭機２００における硬貨や紙幣の処理状況や、硬貨釣銭機１００や紙幣釣銭機２００の在高を表示するようになっている。また、ＰＯＳレジスタ３００には顧客向けの追加の表示部３０２ａが設けられており、様々な情報を表示部３０２に表示させる代わりに、あるいは表示部３０２における表示に加えて、追加の表示部３０２ａにおいて顧客向けの表示が行われるようになっている。また、ＰＯＳレジスタ３００にはカードリーダライタ３３６および印字部３３８が設けられている（図５参照、図２および図３では図示せず）。カードリーダライタ３３６は、店員のＩＤカードを読み取ることにより店員のＩＤや権限等に関する情報を取得するようになっている。また、印字部３３８は例えばプリンタから構成され、取引内容を印字したり（通常の取引レシート）、硬貨釣銭機１００や紙幣釣銭機２００の在高等の様々な情報を印字したりするようになっている。
【００５０】
次に、領収印押印装置４００の構成について図４を用いて具体的に説明する。本実施の形態による領収印押印装置４００はＬＡＮ４４０により硬貨釣銭機１００のインターフェース１３２を介して上位制御部１２０に通信可能に接続されている。また、図４に示すように、領収印押印装置４００は、ベース部分４１０と、公共料金等の請求書の受領印欄に押印される所定の領収印４３２を含む本体部分４３０とを有しており、本体部分４３０はベース部分４１０に着脱自在に取り付けられるようになっている。より詳細には、ベース部分４１０には、本体部分４３０をベース部分４１０にロックするロック機構４１２が設けられており、ロック機構４１２が本体部分４３０をベース部分４１０にロックしたときには当該本体部分４３０をベース部分４１０から取り外すことができないようになっている。一方、ロック機構４１２によるベース部分４１０への本体部分４３０のロックが解除されると、店員は本体部分４３０をベース部分４１０から取り外し、この本体部分４３０に設けられた領収印４３２を公共料金等の請求書の受領印欄に押印することができるようになる。なお、このようなロック機構４１２はベース部分４１０側ではなく本体部分４３０側に設けられるようになっていてもよい。
【００５１】
また、図４に示すように、ベース部分４１０には、当該ベース部分４１０に本体部分４３０が取り付けられているか否かを検知する検知手段として定位置検知センサ４１４が設けられている。定位置検知センサ４１４は例えばフォトインタラプタ等からなり、ベース部分４１０に本体部分４３０が取り付けられているときにはこの本体部分４３０の存在を検知するようになる。一方、本体部分４３０がベース部分４１０から取り外されたときには定位置検知センサ４１４により本体部分４３０が検知されなくなる。なお、このような検知手段としての定位置検知センサ４１４はベース部分４１０側ではなく本体部分４３０側に設けられるようになっていてもよい。
【００５２】
また、図４に示すように、ベース部分４１０には、本体部分４３０をベース部分４１０からの取り外し方向（すなわち、図４における上方向）に付勢する付勢手段としてバネ４１６が設けられている。ここで、ロック機構４１２により本体部分４３０がベース部分４１０にロックされているときには、バネ４１６は収縮状態となっている。一方、ロック機構４１２によるベース部分４１０への本体部分４３０のロックが解除されると、バネ４１６における収縮状態からの復元力によって本体部分４３０は当該バネ４１６により図４における上方向に付勢され、この本体部分４３０はベース部分４１０から上方に飛び出すようになる。このことにより、店員はロック機構４１２によるベース部分４１０への本体部分４３０のロックが解除されたことに容易に気づくことができるようになる。また、領収印押印装置４００にＬＥＤ（図示せず）を設け、ロック機構４１２によるベース部分４１０への本体部分４３０のロックが解除されたときにＬＥＤを点灯または点滅させるようにしてもよい。この場合には、領収印押印装置４００に設けられたＬＥＤが点灯または点滅することにより、店員はロック機構４１２によるベース部分４１０への本体部分４３０のロックが解除されたことに容易に気づくことができるようになる。
【００５３】
また、本体部分４３０には、領収印４３２における日付を変更するための日付印部４３４が設けられている。ここで、店舗１０の店長や管理者等は日付印部４３４により領収印４３２における日付を手動で変更することができるようになっている。なお、領収印４３２における日付が日付印部４３４により手動で変更される代わりに、硬貨釣銭機１００に設けられた後述する日付調整部１５０により領収印４３２における日付が自動で変更されるようになっていてもよい。
【００５４】
また、本体部分４３０には、公共料金等の請求書の受領印欄への領収印４３２の押印に係る動作を検知する押印検知部４３６が設けられている。押印検知部４３６による検知情報はＬＡＮ４４０を介して硬貨釣銭機１００の上位制御部１２０に送信されるようになっている。
【００５５】
図５は、上述のような構成からなるレジユニット１８の制御系の構成を示す制御ブロック図である。図５に示すように、硬貨釣銭機１００の上位制御部１２０には、硬貨釣銭機１００のインターフェース１３２、操作表示部１１２および記憶部１３４がそれぞれ接続されている。この上位制御部１２０は、インターフェース１３２により、紙幣釣銭機２００の紙幣釣銭機制御部２３０、ＰＯＳレジスタ３００のＰＯＳ制御部３３０および領収印押印装置４００に対して信号の送受信を行うようになっている。また、店員により操作表示部１１２に入力された指令が当該操作表示部１１２から上位制御部１２０に送られるとともに、上位制御部１２０は操作表示部１１２に指令を送ることにより当該操作表示部１１２に様々な情報を表示させるようになっている。より詳細には、操作表示部１１２には、硬貨釣銭機１００や紙幣釣銭機２００における硬貨や紙幣の処理状況や、硬貨釣銭機１００や紙幣釣銭機２００の在高を表示するようになっている。また、記憶部１３４には、硬貨釣銭機１００や紙幣釣銭機２００における硬貨や紙幣の処理履歴や、硬貨釣銭機１００や紙幣釣銭機２００の在高等の様々な情報が記憶されるようになっている。
【００５６】
また、硬貨釣銭機１００の上位制御部１２０には、支払金額受付手段１４０、入金金額取得手段１４２、管理手段１４４、操作者情報取得手段１４６、押印回数管理手段１４８および日付調整部１５０がそれぞれ接続されている。支払金額受付手段１４０は、ＰＯＳレジスタ３００に設けられたバーコードスキャナ３５０により公共料金等の請求書から読み取られた情報に基づいて、公共料金等の請求書に係る支払金額を受け付けるようになっている。また、入金金額取得手段１４２は、硬貨釣銭機１００や紙幣釣銭機２００において硬貨や紙幣の入金処理が行われる際に硬貨識別部１０１や紙幣識別部２０１により識別された情報に基づいて、硬貨釣銭機１００や紙幣釣銭機２００に入金された硬貨や紙幣の金額を取得するようになっている。また、管理手段１４４は、領収印押印装置４００のロック機構４１２等の管理を行うようになっている。管理手段１４４による領収印押印装置４００のロック機構４１２等の管理方法の詳細については後述する。また、操作者情報取得手段１４６は、ＰＯＳレジスタ３００のカードリーダライタ３３６により店員のＩＤカードから読み取られた情報に基づいて、領収印押印装置４００により公共料金等の請求書への押印を行う操作者の情報（具体的には、店員のＩＤ）を取得するようになっている。また、押印回数管理手段１４８は、操作者情報取得手段１４６により取得された操作者の情報（具体的には、店員のＩＤ）と、領収印押印装置４００の本体部分４３０に設けられた押印検知部４３６により検知された公共料金等の請求書への所定の領収印４３２の押印回数とを紐付けて管理するようになっている。また、日付調整部１５０は、領収印押印装置４００の本体部分４３０に設けられた領収印４３２に含まれる日付を自動で調整するようになっている。具体的には、日付調整部１５０は、所定のタイミングで硬貨釣銭機１００に内蔵されるタイマーの日付と同期を行うことによって、領収印押印装置４００の本体部分４３０に設けられた領収印４３２に含まれる日付を自動で調整するようになっている。
【００５７】
硬貨釣銭機１００の硬貨釣銭機制御部１３０には、硬貨受入部１１４、入金搬送部１０３、硬貨識別部１０１、分岐部１０４、硬貨収納部１０６、出金搬送部１０８、硬貨払出部１１６等がそれぞれ接続されており、硬貨識別部１０１から硬貨釣銭機制御部１３０に硬貨の識別結果が送られるとともに、硬貨釣銭機制御部１３０から硬貨受入部１１４、入金搬送部１０３、分岐部１０４、硬貨収納部１０６、出金搬送部１０８、硬貨払出部１１６等の各々に対して様々な指令が送られるようになっている。
【００５８】
紙幣釣銭機２００の紙幣釣銭機制御部２３０には、インターフェース２３２、紙幣受入部２１４、周回搬送部２０３ａ、接続搬送部２０３ｂ、紙幣識別部２０１、紙幣収納部２０６、出金リジェクト部２０４、紙幣払出部２１６等がそれぞれ接続されており、紙幣識別部２０１から紙幣釣銭機制御部２３０に紙幣の識別結果が送られるとともに、紙幣釣銭機制御部２３０から紙幣受入部２１４、周回搬送部２０３ａ、接続搬送部２０３ｂ、紙幣収納部２０６、出金リジェクト部２０４、紙幣払出部２１６等の各々に対して様々な指令が送られるようになっている。また、紙幣釣銭機２００の紙幣釣銭機制御部２３０は、インターフェース２３２により、硬貨釣銭機１００の上位制御部１２０に対して信号の送受信を行うようになっている。
【００５９】
また、ＰＯＳレジスタ３００のＰＯＳ制御部３３０には、表示部３０２、操作部３０４、記憶部３３４、インターフェース３３２、カードリーダライタ３３６、印字部３３８等がそれぞれ接続されており、店員によって操作部３０４により入力された指令が当該操作部３０４からＰＯＳ制御部３３０に送られたり、カードリーダライタ３３６により読み取られた店員のＩＤカードに係る情報がＰＯＳ制御部３３０に送られたりするようになっている。また、ＰＯＳ制御部３３０は表示部３０２に指令を送ることにより当該表示部３０２に様々な情報を表示させるようになっている。また、ＰＯＳ制御部３３０は、表示部３０２に様々な情報を表示させる代わりに、あるいは表示部３０２における表示に加えて、追加の表示部３０２ａにおいて顧客向けの表示を行わせるようになっている。また、ＰＯＳ制御部３３０は印字部３３８に指令を送ることにより当該印字部３３８により様々な情報を印字させるようになっている。また、ＰＯＳレジスタ３００のＰＯＳ制御部３３０は、インターフェース３３２により、硬貨釣銭機１００の上位制御部１２０や店舗サーバ５００に対して信号の送受信を行うようになっている。また、記憶部３３４には、硬貨釣銭機１００や紙幣釣銭機２００から送信された、硬貨釣銭機１００や紙幣釣銭機２００における硬貨や紙幣の処理状況や、硬貨釣銭機１００や紙幣釣銭機２００の在高等の様々な情報が記憶されるようになっている。
【００６０】
次に、このような構成からなるレジユニット１８の動作、具体的には硬貨釣銭機１００や紙幣釣銭機２００において硬貨や紙幣の入金処理や出金処理を行う際の動作について以下に説明する。
【００６１】
まず、硬貨釣銭機１００において硬貨の入金処理を行う場合の動作について以下に説明する。硬貨釣銭機１００の硬貨受入部１１４に硬貨が受け入れられると、硬貨受入部１１４は、受け入れた硬貨を１層１列状態で１枚ずつ機体内に取り込み、取り込まれた硬貨は入金搬送部１０３により搬送される。そして、入金搬送部１０３により搬送される硬貨は硬貨識別部１０１により硬貨の識別が行われる。硬貨識別部１０１による硬貨の識別結果に基づいて、リジェクト硬貨等の、硬貨払出部１１６から払い出されるべき硬貨であると識別された硬貨は、分岐部１０４により入金搬送部１０３から出金搬送部１０８に分岐させられ、当該出金搬送部１０８により硬貨払出部１１６に搬送される。一方、硬貨識別部１０１による硬貨の識別結果に基づいて、正常硬貨等の機体内に収納されるべき硬貨であると識別された硬貨は、入金搬送部１０３により硬貨収納部１０６へ搬送され、当該硬貨収納部１０６に金種別に収納される。
【００６２】
次に、硬貨釣銭機１００において硬貨の出金処理を行う場合の動作について以下に説明する。硬貨釣銭機１００から釣銭としての硬貨を出金する場合には、操作者は操作表示部１１２により出金されるべき硬貨の金種別の枚数や合計金額等を入力する。あるいは、ＰＯＳレジスタ３００のＰＯＳ制御部３３０から出金指令が上位制御部１２０を介して硬貨釣銭機制御部１３０に送られることにより、硬貨釣銭機１００から釣銭としての硬貨が出金されるようになる。硬貨釣銭機制御部１３０に対して出金指令が与えられると、硬貨収納部１０６に収納されている硬貨が当該硬貨収納部１０６から繰り出され、繰り出された硬貨は出金搬送部１０８により硬貨払出部１１６へ搬送される。このようにして、操作者は、硬貨払出部１１６から硬貨を取り出すことができるようになる。
【００６３】
次に、紙幣釣銭機２００において紙幣の入金処理が行われる際の動作について説明する。紙幣釣銭機２００の紙幣受入口２１４ａに紙幣が投入されると、紙幣受入部２１４は、紙幣受入口２１４ａに投入された入金紙幣を一括で取り込んで、接続搬送部２０３ｂを介して周回搬送部２０３ａに紙幣を１枚ずつ繰り出す。そして、周回搬送部２０３ａに繰り出された紙幣は当該周回搬送部２０３ａにより搬送され、この際に紙幣識別部２０１により紙幣の識別が行われる。
【００６４】
紙幣識別部２０１により識別が行われた紙幣のうち正常な紙幣であると判別された紙幣は、その金種に対応する各紙幣収納部２０６に送られ、これらの紙幣収納部２０６に収納される。具体的には、ある紙幣収納部２０６には千円札が収納され、別の紙幣収納部２０６には二千円札および五千円札が混合状態で収納され、更に別の紙幣収納部２０６には一万円札が収納される。一方、紙幣識別部２０１による識別結果により正常な紙幣ではないと判別された紙幣は入金リジェクト紙幣として周回搬送部２０３ａおよび接続搬送部２０３ｂにより紙幣払出部２１６に搬送され、この紙幣払出部２１６に集積される。そして、紙幣受入口２１４ａに投入された入金紙幣が全て各紙幣収納部２０６または紙幣払出部２１６に送られた後、紙幣払出部２１６に集積された入金リジェクト紙幣が紙幣取出口２１６ａに送られる。このことにより、操作者は、入金リジェクト紙幣を紙幣取出口２１６ａから取り出して紙幣受入部２１４の紙幣受入口２１４ａに再投入することができるようになる。
【００６５】
次に、紙幣釣銭機２００において紙幣の出金処理が行われる際の動作について以下に説明する。出金される紙幣の合計金額あるいは金種別の枚数等を含む出金処理の開始指令がＰＯＳレジスタ３００の操作部３０４や硬貨釣銭機１００の操作表示部１１２により上位制御部１２０に入力されると、各紙幣収納部２０６に収納されている紙幣が１枚ずつ接続搬送部２０３ｂに繰り出され、この接続搬送部２０３ｂから周回搬送部２０３ａに紙幣が受け渡される。周回搬送部２０３ａに送られた紙幣は当該周回搬送部２０３ａで少なくとも１周回るよう搬送され、この際に紙幣識別部２０１により紙幣の金種、真偽、正損、新旧、搬送状態等の識別が行われる。紙幣識別部２０１により識別が行われた紙幣のうち正常な紙幣であると判別された紙幣は紙幣払出部２１６に搬送され、この紙幣払出部２１６に集積される。一方、紙幣識別部２０１による識別結果により正常な紙幣ではないと判別された紙幣（例えば、重送や斜行等の搬送異常の紙幣）は出金リジェクト紙幣として周回搬送部２０３ａおよび接続搬送部２０３ｂにより出金リジェクト部２０４に搬送され、この出金リジェクト部２０４に集積される。出金リジェクト部２０４に集積された出金リジェクト紙幣は、店舗１０の店長や管理者等の所定の権限を有する者が紙幣釣銭機２００の筐体２１０から本体部分を手前側に引き出すことにより出金リジェクト部２０４から取り出すことができるようになる。そして、出金されるべき紙幣が各紙幣収納部２０６から紙幣払出部２１６に送られた後、紙幣払出部２１６に集積された紙幣が一括して紙幣取出口２１６ａに送られる。このことにより、操作者は、出金紙幣を紙幣取出口２１６ａから取り出すことができるようになる。
【００６６】
次に、本実施の形態のレジユニット１８を用いて公共料金や税金等の支払いを代行する代行収納サービスを行う際の動作について図６に示すフローチャートを用いて説明する。
【００６７】
本実施の形態のレジユニット１８を用いて代行収納サービスを行うにあたり、顧客から店員に公共料金等の請求書が手渡されると、当該店員はＰＯＳレジスタ３００に設けられたバーコードスキャナ３５０により公共料金等の請求書に記載されたバーコードの情報を読み取る（ＳＴＥＰ１）。このことにより、公共料金等の支払い金額や支払い期限等の情報がＰＯＳレジスタ３００において取得され、例えばＰＯＳレジスタ３００における顧客向けの追加の表示部３０２ａに公共料金等の支払い金額が表示されるようになる。また、公共料金等の支払い金額や支払い期限等の情報がＰＯＳレジスタ３００のＰＯＳ制御部３３０から硬貨釣銭機１００の上位制御部１２０に送信されることにより、支払金額受付手段１４０は公共料金等の請求書に係る支払金額を受け付けるようになる。
【００６８】
その後、顧客から店員に公共料金等の支払い金額に相当する貨幣が手渡されると、当該店員は顧客から受け取った貨幣を硬貨釣銭機１００や紙幣釣銭機２００に入金する。この際に、入金金額取得手段１４２は、硬貨釣銭機１００や紙幣釣銭機２００において硬貨や紙幣の入金処理が行われる際に硬貨識別部１０１や紙幣識別部２０１により識別された情報に基づいて、入金された硬貨や紙幣の金額を取得する。そして、管理手段１４４は、所定の金額の貨幣が硬貨釣銭機１００や紙幣釣銭機２００に入金されると（ＳＴＥＰ２の「ＹＥＳ」）、ロック機構４１２によるベース部分４１０への本体部分４３０のロックを解除するよう当該ロック機構４１２を制御する（ＳＴＥＰ３）。より詳細には、管理手段１４４は、入金金額取得手段１４２により取得された入金金額が、支払金額受付手段１４０により受け付けられた支払金額以上となった場合に、ロック機構４１２によるベース部分４１０への本体部分４３０のロックを解除するよう当該ロック機構４１２を制御する。このことにより、店員は領収印押印装置４００の本体部分４３０をベース部分４１０から取り外し、この本体部分４３０に設けられた領収印４３２を公共料金等の請求書に押印することができるようになる。すなわち、領収印押印装置４００による公共料金等の請求書への所定の領収印４３２の押印が許可されるようになる。
【００６９】
本実施の形態によるレジユニット１８では、領収印押印装置４００には、公共料金等の請求書への所定の領収印４３２の押印に係る動作を検知する押印検知部４３６が設けられている。このことにより、店員が公共料金等の請求書に領収印４３２を押印したか否かを検知することができるようになり、店員が顧客から代金を受け取って貨幣釣銭機に入金したにもかかわらず公共料金等の請求書に領収印４３２を押印し忘れた等のトラブルを回避することができるようになる。また、操作者情報取得手段１４６は、ＰＯＳレジスタ３００のカードリーダライタ３３６により店員のＩＤカードから読み取られた情報に基づいて、領収印押印装置４００により公共料金等の請求書への押印を行う操作者の情報（具体的には、店員のＩＤ）を取得するようになっており、押印回数管理手段１４８は、操作者情報取得手段１４６により取得された店員の情報と、押印検知部４３６により検知された公共料金等の請求書への所定の領収印４３２の押印回数とを紐付けて管理するようになる。この場合には、顧客から代金を受け取って貨幣釣銭機に入金したにもかかわらず公共料金等の請求書に領収印４３２を押印し忘れた等のトラブルを生じさせた店員が誰であるかという追跡調査を行うことができるようになる。また、押印検知部４３６により検知された１つの公共料金等の請求書への所定の領収印４３２の押印回数が所定の回数に達しない場合には、ＰＯＳレジスタ３００の表示部３０２や硬貨釣銭機１００の操作表示部１１２において店員に対して警告メッセージが表示されるようになる。このことにより、店員は１つの公共料金等の請求書について所定の回数に達するまで所定の領収印４３２の押印を行うようになる。また、押印検知部４３６により検知された１つの公共料金等の請求書への所定の領収印４３２の押印回数が所定の回数に達しない場合に、この情報が記憶部１３４に履歴として記憶されるようになっている。
【００７０】
そして、店員が本体部分４３０に設けられた領収印４３２を公共料金等の請求書に押印した後、当該本体部分４３０をベース部分４１０に戻し、定位置検知センサ４１４により本体部分４３０が検知されるようになると（ＳＴＥＰ４の「ＹＥＳ」）、ロック機構４１２によりベース部分４１０に本体部分４３０がロックされるようになる（ＳＴＥＰ５）。また、硬貨釣銭機１００の上位制御部１２０からＰＯＳレジスタ３００に完了通知が送信される（ＳＴＰＥ６）。このことにより、代行収納サービスが適切に完了したという情報がＰＯＳレジスタ３００により取得されるようになる。このようにして、本実施の形態のレジユニット１８を用いた代行収納サービスの一連の動作が完了する。
【００７１】
一方、ロック機構４１２によるベース部分４１０への本体部分４３０のロックが解除された後、ベース部分４１０に本体部分４３０が戻されることなく所定の時間が経過すると（ＳＴＥＰ４の「ＮＯ」およびＳＴＰＥ７の「ＹＥＳ」）、ＰＯＳレジスタ３００の表示部３０２や硬貨釣銭機１００の操作表示部１１２において、本体部分４３０のロックが解除されてから所定の時間が経過した旨の情報が表示されるとともに、店員に対してリトライを促すメッセージが表示されるようになる（ＳＴＥＰ８）。このことにより、店員が本体部分４３０に設けられた領収印４３２を公共料金等の請求書に押印し忘れてしまうことを防止したり、店員が本体部分４３０に設けられた領収印４３２を不正利用することを制限したりすることができるようになる。その後、店員が本体部分４３０に設けられた領収印４３２を公共料金等の請求書に押印した後、当該本体部分４３０をベース部分４１０に戻し、定位置検知センサ４１４により本体部分４３０が検知されるようになると（ＳＴＥＰ９の「ＹＥＳ」）、ロック機構４１２によりベース部分４１０に本体部分４３０がロックされるようになる（ＳＴＥＰ５）。また、硬貨釣銭機１００の上位制御部１２０からＰＯＳレジスタ３００に完了通知が送信される（ＳＴＰＥ６）。
【００７２】
以上のような構成からなる本実施の形態のレジユニット１８（貨幣処理システム）およびこのようなレジユニット１８に設けられた貨幣釣銭機（貨幣処理装置）によれば、貨幣釣銭機における硬貨釣銭機１００は、帳票（具体的には、公共料金等の請求書）に係る支払金額を受け付ける支払金額受付手段１４０と、入金された貨幣の金額を取得する入金金額取得手段１４２と、領収印押印装置４００を管理する管理手段１４４とを有しており、管理手段１４４は、入金金額取得手段１４２により取得された入金金額が、支払金額受付手段１４０により受け付けられた支払金額以上となった場合に、領収印押印装置４００による帳票への所定の領収印４３２の押印を許可するよう当該領収印押印装置４００を管理するようになっている。このように、入金金額取得手段１４２により取得された貨幣釣銭機（貨幣処理装置）への入金金額が、支払金額受付手段１４０により受け付けられた支払金額以上となった場合に、領収印押印装置４００による帳票への所定の領収印４３２の押印を許可するよう当該領収印押印装置４００を管理することによって、店舗１０の店員等の操作者が顧客から受け取った公共料金等の支払い代金を着服する等の不正行為が行われてしまうことを防止することができる。すなわち、従来の代行収納サービスでは、店員が顧客から受け取った公共料金等の支払い代金については何ら管理されておらず、セキュリティに関して問題があった。具体的には、従来の代行収納サービスでは、店員が顧客から公共料金等の支払い代金を受け取った後、公共料金等の請求書の受領印欄に受領印を押印し、請求書の一部を切り離して領収書として顧客に返却した後にＰＯＳレジスタでキャンセル処理を行うことにより、顧客から受け取った公共料金等の支払い代金を店員が着服する等の不正行為が実行可能となってしまうという問題があった。これに対し、本実施の形態のレジユニット１８（貨幣処理システム）では、入金金額取得手段１４２により取得された貨幣釣銭機（貨幣処理装置）への入金金額が、支払金額受付手段１４０により受け付けられた支払金額以上とならないと、公共料金等の請求書に所定の領収印４３２の押印を行うことができないため、上記の不正行為を防止することができるようになる。
【００７３】
また、本実施の形態のレジユニット１８（貨幣処理システム）においては、領収印押印装置４００は、ベース部分４１０と、帳票に押印される所定の領収印４３２を含む本体部分４３０とを有しており、本体部分４３０はベース部分４１０に着脱自在に取り付けられるようになっており、管理手段１４４は、領収印押印装置４００による帳票への所定の領収印４３２の押印を許可する際に、ベース部分４１０からの本体部分４３０の取り外しを可能とするようになっている。具体的には、領収印押印装置４００において本体部分４３０をベース部分４１０にロックするロック機構４１２がベース部分４１０または本体部分４３０に設けられており、管理手段１４４は、領収印押印装置４００による帳票への所定の領収印４３２の押印を許可する際に、ロック機構４１２によるベース部分４１０への本体部分４３０のロックを解除するようになっている。このようなロック機構４１２を設けることにより、ロック機構４１２によりベース部分４１０に本体部分４３０がロックされているときには店員は本体部分４３０をベース部分４１０から取り外すことができなくなるため、店員が上記の不正行為を行うことをより一層確実に防止することができるようになる。
【００７４】
また、本実施の形態のレジユニット１８（貨幣処理システム）においては、本体部分４３０をベース部分４１０からの取り外し方向に付勢する付勢手段としてバネ４１６が領収印押印装置４００に設けられている。この場合には、ロック機構４１２によるベース部分４１０への本体部分４３０のロックが解除されると、バネ４１６における収縮状態からの復元力によって本体部分４３０は当該バネ４１６によりベース部分４１０からの取り外し方向に付勢され、この本体部分４３０はベース部分４１０から上方に飛び出すようになる。このことにより、店員はロック機構４１２によるベース部分４１０への本体部分４３０のロックが解除されたことに容易に気づくことができるようになる。なお、本体部分４３０をベース部分４１０からの取り外し方向に付勢する付勢手段はバネ４１６に限定されることはなく、弾性変形可能なゴム等の他の部材が付勢手段として用いられるようになっていてもよい。
【００７５】
また、本実施の形態のレジユニット１８（貨幣処理システム）においては、ロック機構４１２によるベース部分４１０への本体部分４３０のロックが解除された後、所定時間が経過してもロック機構４１２により本体部分４３０がベース部分４１０に再びロックされない場合に、ＰＯＳレジスタ３００の表示部３０２や硬貨釣銭機１００の操作表示部１１２（これらの表示部３０２や操作表示部１１２を本実施の形態では第１報知部という）により店員に対して報知が行われるようになっている。このことにより、店員が本体部分４３０に設けられた領収印４３２を帳票に押印し忘れてしまうことを防止したり、店員が本体部分４３０に設けられた領収印４３２を不正利用することを制限したりすることができるようになる。なお、本実施の形態では、このような報知を行う報知部は、ＰＯＳレジスタ３００の表示部３０２や硬貨釣銭機１００の操作表示部１１２に限定されることはなく、例えば音声等の他の報知手段により店員に対して報知が行われるようになっていてもよい。
【００７６】
また、本実施の形態のレジユニット１８（貨幣処理システム）においては、ベース部分４１０には、当該ベース部分４１０に本体部分４３０が取り付けられているか否かを検知する検知手段として定位置検知センサ４１４が設けられている。このことにより、ベース部分４１０に本体部分４３０が取り付けられているか否かを容易かつ確実に検知することができるようになる。
【００７７】
また、本実施の形態のレジユニット１８（貨幣処理システム）においては、領収印押印装置４００には、帳票への所定の領収印４３２の押印を検知する押印検知部４３６が設けられている。このことにより、店員が帳票に領収印４３２を押印したか否かを検知することができるようになり、店員が顧客から代金を受け取って貨幣釣銭機に入金したにもかかわらず帳票に領収印４３２を押印し忘れた等のトラブルを回避することができるようになる。また、本実施の形態では、領収印押印装置４００により帳票への所定の領収印４３２の押印を行う操作者の情報を取得する操作者情報取得手段１４６、および操作者情報取得手段１４６により取得された店員の情報と、押印検知部４３６により検知された帳票への所定の領収印４３２の押印回数とを紐付けて管理する押印回数管理手段１４８がそれぞれ設けられている。この場合には、顧客から代金を受け取って貨幣釣銭機に入金したにもかかわらず帳票に領収印４３２を押印し忘れた等のトラブルを生じさせた店員が誰であるかという追跡調査を行うことができるようになる。また、押印検知部４３６により検知された１つの帳票への所定の領収印４３２の押印回数が所定の回数に達しない場合に、ＰＯＳレジスタ３００の表示部３０２や硬貨釣銭機１００の操作表示部１１２（これらの表示部３０２や操作表示部１１２を本実施の形態では第２報知部という）により店員に対して報知が行われるようになっている。このことにより、１つの帳票への所定の領収印４３２の押印回数が不足してしまう等のトラブルを回避することができるようになる。なお、本実施の形態では、このような報知を行う報知部は、ＰＯＳレジスタ３００の表示部３０２や硬貨釣銭機１００の操作表示部１１２に限定されることはなく、例えば音声等の他の報知手段により店員に対して報知が行われるようになっていてもよい。
【００７８】
また、本実施の形態のレジユニット１８（貨幣処理システム）においては、領収印押印装置４００により帳票に押印される所定の領収印４３２には日付が含まれるようになっており、貨幣釣銭機（具体的には、硬貨釣銭機１００）は、領収印押印装置４００により押印される領収印４３２に含まれる日付を調整する日付調整部１５０を有しており、日付調整部１５０は、所定のタイミングで貨幣釣銭機（具体的には、硬貨釣銭機１００）に内蔵されるタイマーの日付と同期を行うことによって、領収印押印装置４００により押印される領収印４３２に含まれる日付を自動で変更するようになっている。このような日付調整部１５０が設けられていることにより、領収印押印装置４００により押印される領収印４３２に含まれる日付を自動で調整することができるため、店舗１０の店長や管理者等による日付の変更ミスを防止することができるようになる。
【００７９】
なお、本実施の形態によるレジユニット１８（貨幣処理システム）やこのようなレジユニット１８に設けられた貨幣釣銭機（貨幣処理装置）は、上述したような態様に限定されることはなく、様々な変更を加えることができる。
【００８０】
例えば、領収印押印装置４００は、ベース部分４１０と、帳票に押印される所定の領収印４３２を含む本体部分４３０とを有するものに限定されることはない。変形例に係る領収印押印装置４００として、ベース部分４１０が設けられておらず、帳票に押印される所定の領収印４３２を含む本体部分４３０が単体で用いられるようになっていてもよい。このような領収印押印装置４００では、本体部分４３０において、領収印４３２の押印を規制する規制手段４２０（図５参照）が設けられている。また、管理手段１４４は、領収印押印装置４００による帳票への所定の領収印４３２の押印を許可する際に、規制手段４２０による領収印４３２の押印の規制を解除するようになる。具体的には、規制手段４２０として、例えば領収印４３２を選択的に覆うカバーが用いられるようになっており、管理手段１４４は、領収印押印装置４００による帳票への所定の領収印４３２の押印を許可する際に、カバーを取り外し可能として領収印４３２を外部環境に露出させることができるようになっている。
【００８１】
また、管理手段１４４が領収印押印装置４００を管理するにあたり、領収印押印装置４００による帳票への所定の領収印４３２の押印を許可するタイミングは、硬貨釣銭機１００や紙幣釣銭機２００の筐体１１０、２１０に投入された貨幣の金額が支払金額受付手段１４０により受け付けられた支払金額以上となったタイミングに限定されることはない。変形例に係る貨幣釣銭機において、機体内に投入された硬貨や紙幣が入金一時保留部（図示せず）で一時的に保留され、上位制御部１２０に対して入金確定の指令が与えられると入金一時保留部で一時的に保留される硬貨や紙幣が各硬貨収納部１０６や各紙幣収納部２０６に収納されるようになっている場合には、管理手段１４４は、上位制御部１２０に対して入金確定の指令が与えられたときに、領収印押印装置４００による帳票への所定の領収印４３２の押印を許可するようになっていてもよい。更に別の例では、入金金額取得手段１４２により取得された入金金額と支払金額受付手段１４０により受け付けられた支払金額との差額が０になったタイミングや、貨幣釣銭機から釣銭としての硬貨や紙幣が出金されたタイミングで、領収印押印装置４００による帳票への所定の領収印４３２の押印を管理手段１４４が許可するようになっていてもよい。
【００８２】
また、図２、図３および図５に示す例では、貨幣釣銭機およびＰＯＳレジスタ３００が通信可能に接続されるとともに貨幣釣銭機および領収印押印装置４００が通信可能に接続されているが、本実施の形態によるレジユニット１８の接続関係はこのような態様に限定されることはない。本実施の形態によるレジユニット１８の接続関係の他の例として、貨幣釣銭機およびＰＯＳレジスタ３００が通信可能に接続されるとともにＰＯＳレジスタ３００および領収印押印装置４００が通信可能に接続されるようになっており、貨幣釣銭機および領収印押印装置４００が通信可能に接続されないようになっていてもよい。また、更に別の例として、貨幣釣銭機、ＰＯＳレジスタ３００および領収印押印装置４００の３つの装置が互いに通信可能に接続されるようになっていてもよい。
【００８３】
また、本実施の形態によるレジユニット１８において、ＰＯＳレジスタ３００の設置が省略されるようになっていてもよい。すなわち、貨幣釣銭機（硬貨釣銭機１００および紙幣釣銭機２００）ならびに領収印押印装置４００により、本発明に係る貨幣処理システムが構成されるようになっていてもよい。この場合でも、支払金額受付手段１４０は、外部から送信された情報に基づいて、帳票に係る支払金額を受け付けるようになる。また、硬貨釣銭機１００の操作表示部１１２により帳票に係る支払金額を店員が手入力することができるようになっていてもよい。この場合には、支払金額受付手段１４０は、操作表示部１１２により入力された情報に基づいて、帳票に係る支払金額を受け付けるようになる。
【００８４】
また、本実施の形態によるレジユニット１８にＰＯＳレジスタ３００が含まれる場合には、支払金額受付手段１４０、入金金額取得手段１４２、管理手段１４４、操作者情報取得手段１４６、押印回数管理手段１４８および日付調整部１５０の一部または全部が硬貨釣銭機１００ではなくＰＯＳレジスタ３００に設けられるようになっていてもよい。
【００８５】
また、更に別の変形例として、貨幣釣銭機の筐体の内部に帳票を投入することができるようになっていてもよい。この場合、貨幣釣銭機の筐体の内部に投入された帳票の画像を読み取るためのスキャナやイメージセンサ等が貨幣釣銭機の機体内に設けられており、スキャナやイメージセンサ等により読み取られた帳票の画像に基づいて帳票に係る支払金額がＯＣＲ（光学文字認識）により取得されるようになっていてもよい。このような貨幣釣銭機では、支払金額受付手段１４０は、ＯＣＲ（光学文字認識）により取得された支払金額に基づいて、帳票に係る支払金額を受け付けるようになる。また、このような例では、貨幣釣銭機の筐体の内部に投入された帳票に所定の領収印を押印する押印機構が貨幣釣銭機の機体内に設けられていてもよい。この場合には、管理手段１４４は、入金金額取得手段１４２により取得された入金金額が、支払金額受付手段１４０により受け付けられた支払金額以上となった場合に、貨幣釣銭機の筐体の内部に投入された帳票に所定の領収印を押印するよう押印機構を管理するようになっていてもよい。更に、貨幣釣銭機の筐体の内部に投入された帳票が公共料金等の請求書である場合において、請求書における受領印欄に受領印が押印された部分を切り離して領収書として貨幣釣銭機の機体外に投出する機能が設けられていてもよい。この場合、請求書における領収書として切り離された部分以外の部分は貨幣釣銭機の機体内に収納されるようになる。この際に、貨幣釣銭機から釣銭としての硬貨や紙幣を出金するときに受領印欄に受領印が押印された領収書を貨幣釣銭機の機体外に投出するようにしてもよいし、あるいは受領印欄に受領印が押印された領収書を貨幣釣銭機の機体外に投出した後に貨幣釣銭機から釣銭としての硬貨や紙幣を出金するようにしてもよい。このような変形例に係る貨幣釣銭機を用いる場合には、領収印押印装置４００の設置を省略することができる。
【００８６】
また、更に別の変形例として、帳票（具体的には、公共料金等の請求書）の処理を行う帳票処理装置が硬貨釣銭機１００、紙幣釣銭機２００、ＰＯＳレジスタ３００とは別に設けられており、当該帳票処理装置が硬貨釣銭機１００、紙幣釣銭機２００、ＰＯＳレジスタ３００のうち少なくとも一つの装置に通信可能に接続されることによりこの帳票処理装置が硬貨釣銭機１００、紙幣釣銭機２００、ＰＯＳレジスタ３００と連動するようになっていてもよい。このような帳票処理装置では、当該帳票処理装置の筐体の内部に投入された帳票の画像を読み取るためのスキャナやイメージセンサ等が帳票処理装置の機体内に設けられており、スキャナやイメージセンサ等により読み取られた帳票の画像に基づいて帳票に係る支払金額がＯＣＲ（光学文字認識）により取得されるようになっている。この場合には、支払金額受付手段１４０は、帳票処理装置のＯＣＲ（光学文字認識）により取得された支払金額に基づいて、帳票に係る支払金額を受け付けるようになる。また、このような例では、帳票処理装置の筐体の内部に投入された帳票に所定の領収印を押印する押印機構が帳票処理装置の機体内に設けられていてもよい。この場合には、管理手段１４４は、入金金額取得手段１４２により取得された入金金額が、支払金額受付手段１４０により受け付けられた支払金額以上となった場合に、帳票処理装置の筐体の内部に投入された帳票に所定の領収印を押印するよう当該帳票処理装置に設けられた押印機構を管理するようになっていてもよい。更に、帳票処理装置の筐体の内部に投入された帳票が公共料金等の請求書である場合において、請求書における受領印欄に受領印が押印された部分を切り離して領収書として帳票処理装置の機体外に投出する機能が設けられていてもよい。この場合、請求書における領収書として切り離された部分以外の部分は帳票処理装置の機体内に収納されるようになる。この際に、硬貨釣銭機１００や紙幣釣銭機２００から釣銭としての硬貨や紙幣を出金するときに受領印欄に受領印が押印された領収書を帳票処理装置の機体外に投出するようにしてもよいし、あるいは受領印欄に受領印が押印された領収書を帳票処理装置の機体外に投出した後に硬貨釣銭機１００や紙幣釣銭機２００から釣銭としての硬貨や紙幣を出金するようにしてもよい。このような変形例に係る帳票処理装置を用いる場合には、領収印押印装置４００の設置を省略することができる。
【符号の説明】
【００８７】
１０      店舗
１２      フロント領域
１４      商品棚
１６      精算所
１８      レジユニット
２０      バックヤード領域
２２      売上入金機
１００    硬貨釣銭機
１０１    硬貨識別部
１０３    入金搬送部
１０４    分岐部
１０６    硬貨収納部
１０８    出金搬送部
１１０    筐体
１１２    操作表示部
１１４    硬貨受入部
１１６    硬貨払出部
１２０    上位制御部
１３０    硬貨釣銭機制御部
１３２    インターフェース
１３４    記憶部
１４０    支払金額受付手段
１４２    入金金額取得手段
１４４    管理手段
１４６    操作者情報取得手段
１４８    押印回数管理手段
１５０    日付調整部
２００    紙幣釣銭機
２０１    紙幣識別部
２０３ａ  周回搬送部
２０３ｂ  接続搬送部
２０４    出金リジェクト部
２０６    紙幣収納部
２０７    紙幣回収カセット
２１０    筐体
２１４    紙幣受入部
２１４ａ  紙幣受入口
２１６    紙幣払出部
２１６ａ  紙幣取出口
２３０    紙幣釣銭機制御部
２３２    インターフェース
３００    ＰＯＳレジスタ
３０２    表示部
３０２ａ  追加の表示部
３０４    操作部
３３０    ＰＯＳ制御部
３３２    インターフェース
３３４    記憶部
３３６    カードリーダライタ
３３８    印字部
３５０    バーコードスキャナ
４００    領収印押印装置
４１０    ベース部分
４１２    ロック機構
４１４    定位置検知センサ
４１６    バネ
４２０    規制手段
４３０    本体部分
４３２    領収印
４３４    日付印部
４３６    押印検知部
４４０    ＬＡＮ
５００    店舗サーバ
【図１】
0006527425.tif 000002
【図２】
0006527425.tif 000003
【図３】
0006527425.tif 000004
【図４】
0006527425.tif 000005
【図５】
0006527425.tif 000006
【図６】
0006527425.tif 000007